(57)【要約】【課題】製造時の寸法誤差や、多少変形した鋼管Ｂを接続する場合に、簡単に挿入することができるとともに、鋼管Ｂとの隙間の発生を阻止して正確な同一軸線上に鋼管Ｂを接続することができる継手Ａを提供する。【解決手段】外周の中間位置に、鍔状に鍔板２を突設した円筒を、縦に二つ割りした半筒体１の２枚から構成する。一方の半筒体１の縁部には、他方の半筒体１に向けた凸状挿入板１１を突設する。他方の半筒体１の縁部には、一方の半筒体１に向けた受け入れ凹部１２を形成する。凸状挿入板１１と、受け入れ凹部１２には実質的に寸法差がなく、凸状挿入板１１を受け入れ凹部１２に正確に挿入できる寸法に構成する。二つの半筒体１の間には、軸方向に伸張が可能な加圧具３を配置する。半筒体１の外部から、この加圧具３を伸張させる操作穴３４を形成する。【選択図】図１
2010065388.tif 000002
【特許請求の範囲】
【請求項１】
アンダーピーニング工法などにおいて地中に鋼管を接続しながら圧入してゆく場合の鋼管と鋼管を接続する継手であって、
円筒の外周の中間位置に、鍔状に鍔板を突設した円筒を、縦に二つ割りした半筒体の２枚から構成し、
一方の半筒体の縁部には、他方の半筒体に向けた凸状挿入板を突設し、
他方の半筒体の縁部には、一方の半筒体に向けた受け入れ凹部を形成し、
凸状挿入板と、受け入れ凹部との接触する、平行したスライド面には実質的に寸法差がない状態で、凸状挿入板を受け入れ凹部に挿入できる寸法に構成し、
二つの半筒体の間には、筒体の軸方向と直行する方向に伸張が可能な加圧具を配置し、
鍔板には、半筒体の外部から加圧具を伸張するための操作穴を形成し、
加圧具を伸張することによって、両半筒体間の距離を離して半筒体を鋼管の内面に押し付け、その結果、鋼管群の鉛直性を維持できるように構成した、
鋼管の継手。
【請求項２】
加圧具が、ネジを刻設したロッドであり、
半筒体の外部から、このネジに回転を与え得るように構成した、
請求項１記載の鋼管の継手。
【請求項３】
二つの半筒体を組み合わせて加圧具で半筒体間の距離を離した後に、
半筒体の端面間の隙間に、クサビを挿入可能に構成した、
請求項１記載の鋼管の継手。
【請求項４】
加圧具を、半筒体の内面に直接固定せず、
傾斜材を介して半筒体の内面に固定した、
請求項１記載の鋼管の継手。
【請求項５】
半筒体を組み立てた平面形状を円形ではなく、一部に平面部分を形成した、小判状に形成し、
この小判状に形成した平面部分に、凸状挿入板と受け入れ凹部を位置させた、
請求項１記載の鋼管の継手。
【発明の詳細な説明】
【技術分野】
【０００１】
本発明は、鋼管の継手に関するものであり、特に作業範囲が規制されるアンダーピーニング工法において地中に圧入する鋼管に使用する継手に関するものである。
【背景技術】
【０００２】
家屋が不同沈下した場合に、その地下に作業空間を作り、その空間から鋼管を地中に圧入し、その鋼管群に反力を取って家屋も持ち上げるアンダーピーニング工法が知られている。
その場合に、床下の狭い空間における作業であるから、長い鋼管を一度に圧入することはできず、短い鋼管を次々に接続して圧入してゆかざるを得ない。
この場合に短い鋼管を接続する方法として、溶接によって行うことが一般的である。
しかし溶接作業には熟練を要し、また漏電による事故、発熱による作業環境の悪化、などの問題がある。
その点を改善する方法として、鋼管と鋼管との間に短い筒状の継手を介在させる方法も知られている。
【特許文献１】特開平１０−１５９１１８号公報。
【発明の開示】
【発明が解決しようとする課題】
【０００３】
前記した、短い筒状の継手とは図１０の左に示すような構造である。
これは、短い筒体ａの中間の外周に、鍔状に鍔板ｂが突設した部材である。
鋼管ｃを接続するに際しては、すでに地中に圧入してある下側の鋼管ｃの上から、鍔板ｂの下半分の下筒ａ１を挿入する。
そして接続すべき上側の鋼管ｃを、鍔板ｂの上半分の上筒ａ２に挿入して、継手を介在させた接続が完成する。
上方向への引張力が作用しないならば、理論的には、この構造の継手によって簡単に鋼管の接続ができそうである。
しかし、実際には次のような問題点がある。
すなわち、実際には鋼管の断面は図面で描くような真の円形を維持しておらず、製造時や保管時の影響で多少のゆがみが発生している。
また、鋼管の肉厚も必ずしも均一ではなく、多少の厚さの偏りがある。
したがってもし継手の上筒ａ２、下筒ａ１を図面通りの正確な円筒にして鋼管との寸法差をギリギリに設定して製造すると、鋼管ｃへの挿入が不可能となってしまう。
そこで継手の上筒ａ２、下筒ａ１とも、鋼管ｃの内径よりも多少小さめに形成しておき、鋼管ｃが容易に挿入できるように構成してある。
その結果、鋼管ｃと継手の間には多少の隙間が生じることになる。
この隙間によって、継手の上下の鋼管ｃは正確に同一の軸心上になく、多少の傾斜を生じてしまう。（図１０の右図）
接続すべき鋼管ｃの本数が多くなれば、すなわち継手の箇所が多くなれば、傾斜が蓄積して、完成した鋼管ｃ群は同一軸線上から大きく外れた状態で地中に圧入されていることになる。
【課題を解決するための手段】
【０００４】
上記のような課題を解決する本発明の鋼管の継手は、アンダーピーニング工法などにおいて地中に鋼管を接続しながら圧入してゆく場合の鋼管と鋼管を接続する継手であって、円筒の外周の中間位置に、鍔状に鍔板を突設した円筒を、縦に二つ割りした半筒体の２枚から構成し、一方の半筒体の縁部には、他方の半筒体に向けた凸状挿入板を突設し、他方の半筒体の縁部には、一方の半筒体に向けた受け入れ凹部を形成し、凸状挿入板と、受け入れ凹部との接触する、平行したスライド面には実質的に寸法差がない状態で、凸状挿入板を受け入れ凹部に挿入できる寸法に構成し、二つの半筒体の間には、筒体の軸方向と直行する方向に伸張が可能な加圧具を配置し、鍔板には、半筒体の外部から加圧具を伸張するための操作穴を形成し、加圧具を伸張することによって、両半筒体間の距離を離して半筒体を鋼管の内面に押し付け、その結果、鋼管群の鉛直性を維持できるように構成した鋼管の継手を特徴としたものである。
【発明の効果】
【０００５】
本発明の鋼管の継手は以上説明したようになるから次のような効果を得ることができる。
＜１＞  鍔板の上部、あるいは下部の筒体の外径は、製造時の寸法誤差や、多少変形した鋼管の内径よりも十分に小さいから、簡単に挿入することができる。
＜２＞  本発明の継手を鋼管と鋼管の間に挿入した後に、鍔板の下側筒、上側筒ともに、その外径を拡大して鋼管の内面に強く押し付けるから、鋼管と継手との間に隙間が生じ難い。
＜３＞  一方の半筒体と、他方の半筒体との距離を離した場合に、凸状挿入板と、受け入れ凹部とが接する２箇所のスライド面が正確に平行な面として構成してある。そのために半筒体と半筒体の間に隙間があっても、その鉛直性は正確に維持されることになる。
＜４＞  その結果、内径の寸法誤差のある鋼管を接続する場合に、圧入によって軸方向の力が加わっても、鋼管群はその中心軸を正確に一致させた状態で地中に圧入されてゆく。
＜５＞  したがって、圧入後の鋼管群は正確に鉛直の姿勢で地中に位置することになり、設計通りの力を期待することができる。
【発明を実施するための最良の形態】
【０００６】
以下図面を参照にしながら本発明の好適な実施の形態を詳細に説明する。
【実施例】
【０００７】
＜１＞前提条件。
本発明は、アンダーピーニング工法などにおいて地中に鋼管Ｂを接続しながら圧入してゆく場合、鋼管Ｂと鋼管Ｂの間に介在させる継手Ａである。
ここでアンダーピーニング工法を例に挙げたのは、比較的短い鋼管Ｂの多数本を簡単に、かつ短時間の作業で順次接続してゆく必要がある場合の一例であって、他の用途においても利用できることはもちろんである。
【０００８】
＜２＞全体の構成。（図１）
本発明の継手Ａの基本形状は単純な円筒である。
この円筒は、その外周の中間位置に鍔状に鍔板２を突設している。
このような円筒を、縦に二つ割りした２枚の半筒体１から構成する。
したがって、縦に二つ割りする以前の形状は、図１０に示した従来の継手と同様であり、鍔板２の上の上筒１ａと、鍔板２の下の下筒１ｂとによって構成したものである。
ただし、その平面形状は完全な円形ではなく、一部に平面部分を形成した、小判状に形成することもできる。
この小判状に形成した平面部分に、後述する凸状挿入板１１と受け入れ凹部１２を位置させると、両者が曲面ではなく平面においてスライドすることになって、スライド面１３の機能を確実に達成させることができる。
【０００９】
＜３＞鋼管Ｂと継手Ａの関係。
継手Ａと、接続予定の鋼管Ｂの関係は次の通りである。
すなわち、二つの半筒体１を組み合わせて再度、円筒に復元した場合、その外径は、接続を予定している鋼管Ｂの内径に対して余裕を持って小さい寸法で形成する。
また鍔板２の外径は、接続を予定している鋼管Ｂの内径よりも大きい寸法に形成する。
このような寸法の関係を与えて、接続予定の鋼管Ｂの内径ごとに継手Ａを製造する。
【００１０】
＜４＞一方の半筒体。
円筒を完全に二つ割りにすると、単なる樋状の曲がり板が形成されるだけである。
しかし本発明の半筒体１は、二つ割りした端面が相互に入り組んで嵌合できるように形成してある。
すなわち一方の半筒体１の縁部には、他方の半筒体１に向けた凸状挿入板１１を突設してある。
【００１１】
＜５＞他方の半筒体。
それに対して、他方の半筒体１の縁部には、一方の半筒体１に向けて、受け入れ凹部を形成してある。
そして、一方の半筒体１の凸状挿入板１１が、他方の半筒体１の受け入れ凹部１２に正確に挿入できる寸法に構成する。
【００１２】
＜６＞スライド面。（図２）
この凸状挿入板１１と、受け入れ凹部１２との接するスライド面１３は平行に二箇所に形成されるが、凸状挿入板１１と受け入れ凹部１２の形状がほとんど寸法差のないように形成しておけば、凸状挿入板１１のスライド面１３はスムーズに受け入れ凹部１２のスライド面１３に沿って滑り込む状態で挿入することができる。
このように図２に示すように、二箇所のスライド面１３が正確に平行であるから、一方の半筒体１と、他方の半筒体１との間に隙間があっても、両半筒体１の間で正確な中心軸を維持させることができる。
このように本発明の継手Ａにおいては、凸状挿入板１１と、受け入れ凹部１２との間のスライド面１３に実質的に隙間がなく、凸状挿入板１１が正確に受け入れ凹部１２内にスライドして挿入できるから、図２の一点鎖線で示すように半筒体１と半筒体１との間で傾きが生じることがない。
【００１３】
＜７＞加圧具。（図７）
二つの半筒体１の間には、軸方向を直行する方向に伸張が可能な加圧具３を配置する。
実際には、二つの半筒体１は別々の部材であるから、二つの半筒体１を一つの筒体として復元して組み立てた場合に、その筒体の中心軸と直交する、円の直径方向に配置する。
具体的には、一方の半筒体１には、その内面にナット筒３１を取り付ける。
このナット筒３１には、ネジを刻設したロッド３２をねじ込むことが可能である。
他方の半筒体１には、その内面に受け台３３を取り付ける。
そして、二つの半筒体１を一つの筒体状に組み立てた場合に、ナット筒３１にねじ込んだネジロッド３２の先端が、受け台３３に当接するように構成する。
【００１４】
＜８＞操作穴。（図６）
この加圧具３を伸張させるために、半筒体１の外部から、この加圧具３を伸張させることが可能な操作穴３４を形成する。
実施例の場合にはこの操作穴３４からドライバーなどを挿入して、ネジを刻設したロッド３２の尾端から回転を与えてナット筒３１から出入りし得るような構造を採用する。
本発明の継手Ａによってその上下の鋼管Ｂを接続すると、上筒１ａも下筒１ｂも鋼管Ｂの内部に隠れてしまう。
したがってこの操作穴３４は、鍔板２部分に開口して、鋼管Ｂの接続後でも、外部からの操作が可能であるように形成する。
【００１５】
＜９＞クサビの挿入口。（図１）
二つの半筒体１を組み合わせた場合の、半筒体１の端面間の隙間に、クサビを挿入可能な凹部を挿入口２１として構成することもできる。
このように構成すると、加圧具３でいったん拡大した一方の半筒体１と他方の半筒体１の間の距離が縮まることを阻止することができる。
【００１６】
＜１０＞復元した筒体。
本発明の継手Ａは二つの半筒体１から構成してあるから、使用に際しては両半筒体１を組み合わせて元の筒体に復元した状態で鋼管Ｂに挿入する。
その際に、ナット筒３１にネジロッド３２をねじ込んでおき、ネジロッド３２の先端が受け台３３の表面に接触する状態、あるいは挿入する状態で組み合わせて復元する。
前記したように、一方の半筒体１の凸状挿入板１１が、他方の半筒体１の受け入れ凹部１２に正確に挿入できる寸法で突設している。
そして凸状挿入板１１と受け入れ凹部１２との接触する２箇所のスライド面１３は正確に平行面であるから、両半筒体１を組み立てる際には、凸状挿入板１１のスライド面１３は静かに受け入れ凹部１２のスライド面１３に沿って滑り込んで一体となる。
２箇所のスライド面１３、１３は正確な平行面を維持しているので、他の端面は接触している必要はなく隙間が介在していても問題はない。
凸状挿入板１１と、受け入れ凹部１２が接触する平行するスライド面１３，１３には実質的に隙間がないことが重要である。
【００１７】
＜１１＞継手の挿入。
次の本発明の継手Ａの使用方法について説明する。
すでに地中に圧入、打設してある下側の鋼管Ｂの上から、本発明の継手Ａを挿入する。（図３）
前記したように、２枚の半筒体１を組み立てて復元した筒体の外径は、鋼管Ｂの内径に比較して余裕を持って小さい寸法に形成してある。
したがって鋼管Ｂが多少変形していたり、肉厚が均一でなくとも、復元した筒体の鋼管Ｂへの挿入は容易である。
こうして、２枚の半筒体１を組み立てた継手Ａの鍔板２を鋼管Ｂの上端面に係合する。
次に上側鋼管Ｂを、鍔板２の上まで挿入する。（図４）
その場合にも組み立てた継手Ａの外径は、鋼管Ｂの内径に比較して余裕を持って小さい寸法に形成してあるから、上からの上側鋼管Ｂの挿入は容易である。
【００１８】
＜１２＞継手内径の拡大。
鍔板２をはさんでその上下に鋼管Ｂが位置すると、鍔板２のみが表面に露出している。（図５）
この鍔板２に開口した操作穴３４からドライバーなどの工具を利用してネジロッド３２に対してナット筒３１から外部へ露出する方向の回転を与える。（図６）
すると二つの半筒体１の間に距離が強制的に拡大される。
その結果、二つの半筒体１を組み立てて復元した筒体の外径が拡大し、上下の鋼管Ｂの内面に強力に押し付けられる。
その場合に前記したように、凸状挿入板１１と受け入れ凹部１２との接触する２箇所のスライド面１３は正確に平行面であるから（図２）、両半筒体１間の距離が離れる際には、凸状挿入板１１のスライド面１３は静かに受け入れ凹部１２のスライド面１３に沿って滑り出してゆく。
このように２箇所のスライド面１３、１３は正確な平行面を維持しているので、一方の半筒体１と他方の半筒体１とは１本の中心軸を中心にしてほぼ同心円状に拡大を続ける。
その拡大力が大きければ、継手Ａのわずかな変形、鋼管のわずかな変形によって、各鋼管Ｂの内面と継手Ａの外面との間の隙間がほとんどなくなり、上下の鋼管Ｂは、正確な同一軸線を維持することができる。
さらに拡大後に、クサビの挿入口２１に、テーパー状のクサビを挿入しておけば、拡大状態が戻ることはない。
この状態で上側の鋼管Ｂの上端から加圧すると、上下の鋼管Ｂは正確な中心軸を維持して加圧力を受け、鉛直線を維持して地中に圧入される。
こうして、本発明の継手Ａの使用することにより、正確な鉛直線を維持した鋼管Ｂ群を簡単に形成することができる。
【００１９】
＜１３＞他の実施例の１。
以上の構造は、ナット筒３１および受け台３３を各半筒体１の内面に直接固定した構造について説明した。
しかし図８、図９に示すように、それらを直接、半筒体１の内面に固定せず、ナット筒３１および受け台３３を複数本の傾斜材３５を介して各半筒体１の内面に固定することもできる。
傾斜材３５とは丸棒や角材、板片、曲面板などによって構成する。
そのように傾斜材３５でナット筒３１や受け台３３を取り付けると、加圧具３の伸張による力は、傾斜材３５の取り付け方向に向けて作用する。
したがって傾斜材３５の端部を、半筒体１の端部に近い位置に取り付けておけば、拡大する力は半筒体１の端部に作用して、内側から鋼管Ｂを加圧して隙間の発生をより効率よく阻止することができる。
傾斜材３５は、棒状の脚部材ではなく、山型や樋状に折り曲げた板によって構成することも可能である。
【００２０】
＜１４＞他の実施例の２．
前記の実施例は半筒体１の平面形状を円形に形成した場合であった。
しかし、その平面形状は完全な円形ではなく、一部に平面部分を形成した、小判状に形成することもできる。
この小判状に形成した平面部分に、凸状挿入板１１と受け入れ凹部１２を位置させると、両者が曲面ではなく平面においてスライドすることになって、スライド面１３の機能を確実に達成させることができる。
【図面の簡単な説明】
【００２１】
【図１】本発明の鋼管の継手の実施例の説明図。
【図２】本発明の継手の半筒体と半筒体との組み合わせ状態の説明図。
【図３】本発明の継手を使用して鋼管を接続する工程の説明図。
【図４】本発明の継手を使用して鋼管を接続する工程の説明図。
【図５】本発明の継手を使用して鋼管を接続する工程の説明図。
【図６】本発明の継手を使用して鋼管を接続する工程の説明図。
【図７】加圧具の実施例の説明図。
【図８】本発明の鋼管の継手の他の実施例の説明図。
【図９】本発明の鋼管の継手の他の実施例の説明図。
【図１０】従来の鋼管継手の説明図。
【符号の説明】
【００２２】
Ａ：継手
Ｂ：鋼管
１：半筒体
２：鍔板
３：加圧具
【図１】
2010065388.tif 000003
【図２】
2010065388.tif 000004
【図３】
2010065388.tif 000005
【図４】
2010065388.tif 000006
【図５】
2010065388.tif 000007
【図６】
2010065388.tif 000008
【図７】
2010065388.tif 000009
【図８】
2010065388.tif 000010
【図９】
2010065388.tif 000011
【図１０】
2010065388.tif 000012